(57)【要約】【課題】  本発明は、セシウムを吸着する為に畑や原野等にまいたゼオライトの粒子に少しでも多くセシウムを吸着させる為に、すでに土壌の中の粘土等に吸着してしまっている放射性物質セシウム等を粘土等の土壌から溶離し溶出させることを課題とする。【解決手段】  ゼオライトの粒子にシュウ酸を含有させ、畑や原野に播いたシュウ酸含有ゼオライトの粒子に雨や雪などの雨水が降り注いだ時に、降り注ぎ溜まった雨水にシュウ酸含有ゼオライトに含まれているシュウ酸が溶け出して、ゼオライトの周辺にシュウ酸水溶液の領域を作り出し、雨水の水滴落下や雨水の流れ等で、ゼオライトの周りにある汚染土壌の粘土等と混ざり合い攪拌しセシウムを溶離し溶出させ、溶離し溶出したセシウムを隣接しているシュウ酸含有ゼオライトが吸着する。本発明のシュウ酸含有ゼオライトのゼオライトを、磁性体にくっ付く物質と一体化しておけば、セシウムを吸着したシュウ酸含有磁性体ゼオライトを磁石で回収すれば、除染効果が非常に高くなる。【特許請求の範囲】
【請求項１】
ゼオライトの粒子にシュウ酸等の有機酸を含有させたことを特徴とする、シュウ酸含有ゼオライト。
【請求項２】
ゼオライトと磁性体物質とをセメント等で一体化した磁性体ゼオライトに、シュウ酸を含有させた、シュウ酸含有磁性体ゼオライト。
【請求項３】
本発明では、放射能汚染土壌からセシウムを溶離溶出させる為にシュウ酸を使用しているが、セシウムを溶離溶出する有効な物質があれば、代わりに用いる事が出来る。
【請求項４】
ゼオライトの粒子に、シュウ酸粉末を、水溶性糊や後で水にすぐ溶ける接着剤でコーティングした、シュウ酸含ゼオライト。
【請求項５】
ゼオライト粒子に、シュウ酸水溶液を浸透させた、シュウ酸含有ゼオライト。
【発明の詳細な説明】
【技術分野】
【０００１】  本発明は、放射能の除去の為に、地上にばらまいたゼオライト粒子の周辺に有機酸の一種であるシュウ酸水溶液を、ゼオライト周辺のセシウム汚染土壌ににじませ、シュウ酸水溶液でセシウム汚染土壌からセシウムを溶離し溶出させ、より多くのセシウムをゼオライトに吸着出来るようにした事に関する。
【背景技術】
【０００２】  野菜や植物に放射性物質セシウムを吸収させない為、セシウムを吸着したら放出しにくいゼオライトの粒子を畑や原野等に播いてセシウムを吸着させようとしても、すでに粘土などの汚染土壌にセシウムが吸着している現状では、後でまいたゼオライトにセシウムを吸着させようとしても、セシウムをより多くゼオライトに吸着させることが困難であった。
【発明の概要】
【発明が解決しようとする課題】
【０００３】  セシウムを吸着する為に畑や原野等にまいたゼオライトの粒子に少しでも多くセシウムを吸着させる為に、すでに土壌の中の粘土等に吸着してしまっている放射性物質セシウム等を粘土等の土壌から溶離し溶出させる必要がある。【０００４】  溶離し溶出させる物質として、自然界に存在し自然界に影響の少ない、有機酸であるシュウ酸を水溶液にして、汚染土壌と攪拌して汚染土壌からセシウムを溶離させる事が、いろいろな実験で実証されているが、畑や原野等に直接シュウ酸を播きセシウムを溶離させ、ゼオライトに吸着させる方法が確立していない。【０００５】  ゼオライトの粉末は放射性物質セシウムを吸着する効果が非常に大きいが、粘土などの土壌にくっ付いてしまったセシウムは、すぐ近くにゼオライトがあっても、粘土からなかなか離れずゼオライトに吸着してくれない。【０００６】  シュウ酸水溶液とゼオライトを、それぞれ汚染土壌に播いた場合、ゼオライトのすぐ近くの隣接した所にシュウ酸水溶液が存在しなければ、シュウ酸水溶液をいくら播いても効果がない。
【課題を解決するための手段】
【０００７】  ゼオライトの粒子にシュウ酸を含有させたシュウ酸含有ゼオライトを作り、畑や原野等に播き、雨や雪などの雨水が降り注いだ時に、降り注ぎ溜まった雨水にゼオライトに含まれているシュウ酸が溶け出して、ゼオライトの周辺にシュウ酸水溶液の領域を作り出し、雨水の水滴落下や雨水の流れ等で、ゼオライトの周りにある汚染土壌の粘土等と混ざり合いながら自然に攪拌し、セシウムを溶離し溶出したセシウムを隣接しているゼオライトが吸着する。【０００８】  ゼオライトに吸着した放射性物質セシウム等は、ゼオライトに吸着すると溶離、溶出しにくくなる。
【発明の効果】
【０００９】  ゼオライトとシュウ酸が一体となっている為、ゼオライトとシュウ酸をそれぞれ汚染土壌に播かなくても、シュウ酸含有ゼオライトを播いただけで効果が出る。【００１０】  ゼオライトの隣接した所で、シュウ酸水溶液の領域が作り出され、ゼオライトのすぐそばで汚染土壌のセシウムが溶離し溶出される為、溶出したセシウムをゼオライトがすばやく吸着しやすくなる。
【図面の簡単な説明】
【００１１】
【図１】図１は、ゼオライトの粒子の周りに、水溶性糊や後で水にすぐ溶ける接着剤でゼオライト表面にショウ酸粉末をコーティングしたシュウ酸含有ゼオライトの断面を拡大した概略図である。
【図２】図２は、ゼオライト粒子に直接シュウ酸水溶液を浸透させたシュウ酸含有ゼオライトの断面を拡大した概略図である。
【図３】図３は、本発明のシュウ酸含有ゼオライトを放射能汚染土壌に播いた後、雨が降り注ぎ水溜まりが出来、シュウ酸含有ゼオライトのシュウ酸が溶け出している所の概略図である。
【発明を実施するための形態】
【実施例１】
【００１２】  本発明の実施例について、図面１を用いて説明する。
ゼオライトの粒子（１）の周りに、シュウ酸粉末（２）を、水溶性糊や後で水にすぐ溶ける接着剤（３）で、ゼオライトにショウ酸粉末をコーティングしたものである。
【実施例２】
【００１３】  本発明の実施例について、図面２を用いて説明する。
ゼオライトのもっている吸水性を利用して、直接ゼオライトの粒子（１）に、シュウ酸水溶液（４）を、浸透させたものである。【００１４】本発明の実施例について図面３を引用して説明する。
本発明のシュウ酸含有ゼオライト（５）を放射能汚染土壌（６）に播いた後、降り積もった雨水（７）に含有していたシュウ酸が溶け出し、シュウ酸含有ゼオライトの近隣に雨水に溶けだしたシュウ酸水溶液（８）が出来、雨水の流れや降り注ぐ雨水の水滴（９）の落下により、シュウ酸水溶液と汚染土壌が自然に混ざり合い攪拌され、放射能汚染土壌から溶離し溶出したセシウム（１０）を、そこにあるシュウ酸含有ゼオライトがセシウムを吸着するイメージを描いた図である。
【産業上の利用可能性】
【００１５】  本発明のシュウ酸含有ゼオライトは、自然界の雨や雪などによりシュウ酸含有ゼオライトから溶け出したシュウ酸水溶液が、汚染土壌の放射性セシウムを溶離し溶出させるため、そこにあるゼオライトが放射性セシウムをより多く吸着しやすくなるので、植物の根からのセシウムの吸収をより少なく抑える事が出来る。【００１６】  本発明のシュウ酸含有ゼオライトのゼオライトを、磁性体にくっ付く物質と一体化した磁性体ゼオライトにすれば、自然界の雨や雪などによりシュウ酸含有磁性体ゼオライトから溶け出したシュウ酸水溶液が、汚染土壌の放射性セシウムを溶離し溶出させ、そこにある磁性体ゼオライトが放射性セシウムをより多く吸着する、セシウムを吸着した磁性体ゼオライトを磁石で回収すれば、除染効果が非常に高くなる。
【符号の説明】
【００１７】１    ゼオライトの粒子
２    シュウ酸粉末
３    水溶性糊や後で水にすぐ溶ける接着剤
４    シュウ酸水溶液
５    シュウ酸含有ゼオライト
６    放射能汚染土壌
７    雨水
８    雨水に溶けだしたシュウ酸水溶液
９    降り注ぐ雨水の水滴
１０  セシウム
【図１】
2015078108.tif 000002
【図２】
2015078108.tif 000003
【図３】
2015078108.tif 000004